(57)【特許請求の範囲】
【請求項１】
小屋組の両側に、界壁スタッドフレームを介して壁材を張り付けてなる小屋裏の界壁部において、
前記界壁スタッドフレームは、その水平部が梁用取付金具により逆Ｔ字状の形鋼からなる小屋組の梁に固定されるとともに、合掌部が合掌部用取付金具により前記小屋組の合掌部を挟んで固定され、上記梁用取付金具は、その下端部が上記梁の立上げ部に上方から差し込み自在な挟持部に形成されるとともに、上端部が鉤状に屈折された水平部に形成され、この水平部には、締着手段により界壁スタッドフレームの水平部を固定するための梁用取付孔が形成されたことを特徴とする小屋裏の界壁部における界壁スタッドフレームの梁用取付金具。
【発明の詳細な説明】
【０００１】
【発明の属する技術分野】
本発明は、例えば共同住宅、連続住宅、長屋などの小屋裏の界壁部において、この界壁部となる小屋組の両側に界壁スタッドフレームを固定するための梁用取付金具、具体的には、小屋組の梁に界壁スタッドフレームの水平部を固定する梁用取付金具に関する。
【０００２】
【従来の技術】
共同住宅等の複数世帯が住居する建物においては、各世帯の住居部間の界壁のみならず、小屋裏においても防火及び防音上の面から各住居間を界壁部で区画している。
【０００３】
そして、この界壁部は、従来では、界壁部となる小屋組に下地施工などを行い、その両面に壁材を釘打ち等により張り付けることによって形成していた。
【０００４】
【発明が解決しようとする課題】
しかしながら、上述した界壁部では、下地施工などの各施工を全て現場、つまり、小屋裏の狭い空間部内で行わなければならないため、施工作業が大変で作業者の負担が大きく、施工効率が悪いという問題があった。
【０００５】
そこで、このような問題を解決するものとして、特開平２−２７２１３２号公報記載のものに見られるように、予め界壁パネルを形成し、この界壁パネルを小屋裏の界壁部の空隙に設置して固定する施工方法が提供されている。
【０００６】
しかし、この施工方法は、界壁部全体を構成する大きな界壁パネルをクレーン等により吊り下げて上記界壁部の空隙に配置するため、施工作業が大がかりになり、現場によってはクレーンなどを設置できないところもあることから施工できないという問題が生じるとともに、住居数が比較的少ない共同住宅では、作業者によって界壁部を形成する方がクレーンなどを用いて施工を行うよりも逆に効率良く施工できる場合もある。
【０００７】
本発明は、上記従来の問題点に鑑みてなされたもので、簡単な施工で作業者の負担も軽くできる小屋裏の界壁部における界壁スタッドフレームの梁用取付金具を提供することを目的とするものである。
【０００８】
【課題を解決するための手段】
本発明の小屋裏の界壁部における界壁スタッドフレームの梁用取付金具は、小屋組の両側に、界壁スタッドフレームを介して壁材を張り付けてなる小屋裏の界壁部において、前記界壁スタッドフレームは、その水平部が梁用取付金具により逆Ｔ字状の形鋼からなる小屋組の梁に固定されるとともに、合掌部が合掌部用取付金具により前記小屋組の合掌部を挟んで固定され、上記梁用取付金具は、その下端部が上記梁の立上げ部に上方から差し込み自在な挟持部に形成されるとともに、上端部が鉤状に屈折された水平部に形成され、この水平部には、締着手段により界壁スタッドフレームの水平部を固定するための梁用取付孔が形成されたものである。
【０００９】
【発明の実施の形態】
以下、本発明の実施の形態を図面を参照して説明する。
【００１０】
図１は、共同住宅の小屋裏を示す斜視図である。
図において、１は例えば共同住宅Ａの壁体であり、この壁体１の上面に図示しない柱、敷桁などを介して複数の小屋組が施工され、これら小屋組上に母屋及び垂木などを介して屋根材６が施工されている。
【００１１】
上記複数の小屋組のうち各住居部間の境界部分に位置する小屋組２には、以下に詳細する界壁構造を施すことにより界壁部が形成されている。
【００１２】
この界壁構造は、小屋組２の両側面に後述する界壁スタッドフレームが各専用の取付金具を介して配設され、これら各界壁スタッドフレームの外側面に壁材が張り付けられてなるものである。
【００１３】
前記小屋組２は、図２に示すように、合掌部２１と、複数本の束２２と、梁２３とでトラスを形成する。梁２３は逆Ｔ字状の形鋼であり、この形鋼の梁２３上に複数本の束２２が所定の間隔を隔てて立設されている。合掌部２１は、２本の溝形鋼２１ａ、２１ａの各ウェブを接合させてなるものである。
【００１４】
また、上記合掌部２１には母屋などに固定するための金具２４が取付けられている。
【００１５】
前記界壁スタッドフレーム３は、小屋組２の形状と略同じ形状であり、図３に示す３種類の分割材３ａ、３ｂ、３ｃを組み合わせることにより形成されている。即ち、一つの界壁スタッドフレーム３は、共通部材である分割材３ｃを中心にして対称に配置された２組の分割材３ａ、３ｂで構成されている。
【００１６】
これら各分割材３ａ、３ｂ、３ｃは、施工現場において小屋組２に後述する取付金具によりそれぞれ固定されて上記界壁スタッドフレーム３を形成する。
【００１７】
前記取付金具としては、前記分割材３ａ、３ｂの各合掌部３ａ１、３ｂ１を小屋組２の合掌部２１の左右両側方に固定するための図４に示す合掌部用取付金具４と、分割材３ａ、３ｂの水平部３ａ２、３ｂ２を梁２３の上面２３ａに固定するための本発明の主要部を構成する図５に示す梁用取付金具５とが用いられる。
【００１８】
合掌部用取付金具４は、図４に示すように、板状本体４１と、この板状本体４１の裏面左右両側部にそれぞれ固定された係止金具４２とで構成されている。
【００１９】
係止金具４２は、板状本体４１にリベット４３などの適宜な固定手段により固設された水平板４４と、この水平板４４の左右両縁に垂設された係止片４５、４６とで構成されている。一方の係止片４５は、水平板４４の一端部を鉤状に屈折形成したもので、他方の係止片４６は、水平板４４の他端部を鉤状に屈折形成するとともに、その途中部に外方に突出した係止凸部４６ａを形成してなるものである。
【００２０】
このように形成された係止金具４２は、上記係止片４６が内側になるように板状本体４１の両側部に対称に固定されている。この際、左右の係止片４６の係止凸部４６ａは、前記合掌部２１を構成する溝形鋼２１ａ、２１ａの上部両端に係止できる間隔に設定されている。
【００２１】
また、前記各係止片４５には、前記界壁スタッドフレーム３を形成する各分割材３ａ、３ｂの合掌部３ａ１、３ｂ１をネジ止め等により固定するための取付孔４５ａが形成され、さらに、板状本体４１の両側部対称位置にもこの板上本体４１と前記水平板４４とを貫通した取付孔４１ａが形成されている。
【００２２】
前記梁用取付孔５は、前述したように本発明の主要部を構成するもので、図５に示すように、その下端部が梁２３の立上げ部２３ａに上方から差し込み自在な挟持部５１に形成されるとともに、上端部が鉤状に屈折された水平部５３に形成されている。
【００２３】
挟持部５１は、金具本体５ａの下部にこの金具本体５ａとで前記梁２３の立上げ部２３ａを挟持する挟持片５２が設けられてなるもので、挟持片５２の上端部がリベット止め等により固設されている。この挟持片５２の途中部５２ａは、金具本体５ａとの間の間隔が前記立上げ部２３ａの厚みに対応するように屈折形成されている。
【００２４】
金具本体５ａ及び挟持片５２の下端は、立上げ部２３ａに差し込む際のガイド的役割を果たすようにそれぞれ外方に向けて屈折形成されている。
【００２５】
水平部５３には、ネジ止め等により各分割材３ａ、３ｂの水平部３ａ２、３ｂ２を固定するための梁用取付孔５４が形成されている。
【００２６】
次に、上述した各構成部材によって界壁部を施工する施工手順について説明する。
【００２７】
まず、界壁部となる小屋組２の両側に、界壁スタッドフレーム３の各分割材３ａ、３ｂ、３ｃを合掌部用取付金具４及び梁用取付金具５により固定する。
【００２８】
具体的には、図６に示すように、分割材３ａの水平部３ａ２を固定する各箇所に、２組の梁用取付金具５の挟持部５１をその水平部５３を反対にして梁２３の立上げ部２４ａに差し込んで固定する。そして、これら梁用取付金具５の水平部５３に分割材３ａの水平部３ａ２を梁用取付孔５４を通じて締着手段としてのネジ締め等により固定する。また、分割材３ｂも同様に梁用取付金具５によって固定する。
【００２９】
そして、これと共に各分割材３ａ、３ｂの合掌部３ａ１、３ｂ１を合掌部用取付金具４により小屋組２の合掌部２１の両側方に固定する。つまり、図７に示すように分割材３ａの合掌部３ａ１を小屋組２の合掌部２１の両側方に配置した後、図８に示すように合掌部２１の上部両端に合掌部用取付金具４の左右の係止凸部４６ａ、４６ａを嵌入し、これら係止凸部４６ａ、４６ａにより合掌部用取付金具４を小屋組２の合掌部２１に固定する。そして、合掌部用取付金具４の両側に分割材３ａの合掌部３ａ１を係止片４５の取付孔４５ａ及び取付孔４１ａを通じてネジ締めなどにより固定する。また、分割材３ｂも同様に合掌部用取付金具４によって固定する。
【００３０】
なお、中央の分割材３ｃは、ネジ締めなどの適宜な固定手段により分割材３ｂ側もしくは小屋組２側に固定される。
【００３１】
このようにして各分割材３ａ、３ｂ、３ｃを固定することで界壁スタッドフレーム３が小屋組２の両側に配置され、これら左右の界壁スタッドフレーム３、３に図示しない壁材を張り付けることで、界壁部が施工される。
【００３２】
【発明の効果】
以上述べたように、本発明の小屋裏の界壁部における界壁スタッドフレームの梁用取付金具によれば、下端部を小屋組の梁の立上げ部に上方から差し込み自在な挟持部に形成するとともに、上端部を鉤状に屈折された水平部に形成し、この水平部に締着手段により界壁スタッドフレームの水平部を固定するための梁用取付孔を形成して梁用取付金具を構成し、この梁用取付金具によって界壁スタッドフレームの水平部を小屋組の梁に固定するとともに、界壁スタッドフレームの合掌部を合掌部用取付金具により小屋組の合掌部を挟んで固定することで、界壁スタッドフレームの水平部を小屋組の梁に簡単に取付けることができ、ひいては界壁部の施工作業が簡単になり作業者の負担も軽くすることができる。
【図面の簡単な説明】
【図１】共同住宅の小屋裏を示す斜視図である。
【図２】界壁部の構造を示す斜視図である。
【図３】界壁スタッドフレームを形成する分割材を示す図である。
【図４】合掌部用取付金具を示す斜視図である。
【図５】梁用取付金具を示す斜視図である。
【図６】梁用取付金具による梁への分割材の取付けを示す斜視図である。
【図７】合掌部用取付金具による合掌部への分割材の取付けを示す斜視図である。
【図８】合掌部用取付金具による合掌部への分割材の取付けを示す正面図である。
【符号の説明】
２  小屋組
２１  合掌部
２３  梁
３  界壁スタッドフレーム
３ａ、３ｂ、３ｃ  分割材
４  合掌部用取付金具
５  梁用取付金具
５１  挟持部
５３  水平部
５４  梁用取付孔
【図１】
0003657449.tif 000002
【図２】
0003657449.tif 000003
【図３】
0003657449.tif 000004
【図４】
0003657449.tif 000005
【図５】
0003657449.tif 000006
【図６】
0003657449.tif 000007
【図７】
0003657449.tif 000008
【図８】
0003657449.tif 000009